【手続補正書】
【提出日】平成18年5月24日(2006.5.24)
【手続補正１】
【補正対象書類名】明細書
【補正対象項目名】発明の名称
【補正方法】変更
【補正の内容】
【発明の名称】記録制御装置および記録制御方法
【手続補正２】
【補正対象書類名】明細書
【補正対象項目名】特許請求の範囲
【補正方法】変更
【補正の内容】
【特許請求の範囲】
【請求項１】  複数サイズの記録媒体を記録部に給紙可能な給紙手段の駆動と、外部装置から受信される記録データをページ単位に処理し、該処理された画像データに基づいて前記記録部の駆動とを制御する記録制御装置であって、
順次受信される各記録データを解析して生成される画像データを記憶する画像データ記憶手段と、
各画像データを前記画像データ記憶手段に登録する際に、各画像データに対して前記給紙手段より給紙すべき記録媒体の記録状態を管理するための登録データ管理ブロックを順次作成するブロック作成手段と、
前記ブロック作成手段により作成される記録待ちの各登録データ管理ブロックを記録順につなげて登録状態を管理する第１の管理手段と、
前記第１の管理手段により管理される各登録データブロックに対する前記記録部による連続記録処理状態を管理する第２の管理手段と、
前記第２の管理手段による連続記録処理状態管理中に、前記給紙手段から給紙されて搬送される各記録媒体の給送状態を監視してジャム状態を検出する検出手段と、
前記検出手段によりジャム状態が検出された場合に、前記第１，第２の管理手段により管理されている未記録状態の各登録データ管理ブロックの登録状態，各登録データブロックに対する前記記録部による連続記録処理状態を更新してジャム状態を回復させる制御手段と、を有することを特徴とする記録制御装置。
【請求項２】  前記登録データ管理ブロックには、各画像データを記憶する画像データ記憶手段内のアクセス情報，給紙すべき記録媒体のサイズ情報を含むことを特徴とする請求項１記載の記録制御装置。
【請求項３】  前記画像データ記憶手段は、サイズの異なる画像データまたは同一サイズの画像データを順次記憶可能とすることを特徴とする請求項１記載の記録制御装置。
【請求項４】  前記ブロック作成手段は、各画像データのサイズに基づいて異なるサイズまたは同一サイズの記録媒体を前記給紙手段より連続給紙するための給紙指定情報を順次作成可能とすることを特徴とする請求項１記載の記録制御装置。
【請求項５】  前記ブロック作成手段は、各画像データの記録サイズ指定に基づいて異なるサイズまたは同一サイズの記録媒体を前記給紙手段より連続給紙するための給紙指定情報を順次作成可能とすることを特徴とする請求項１記載の記録制御装置。
【請求項６】  前記記録部は、前記画像データに応じて記録媒体に対してカラー画像を記録するための色別の記録ヘッドを複数備えることを特徴とする請求項１記載の記録制御装置。
【請求項７】  前記記録部は、前記画像データに応じて記録媒体に対してモノクロ画像を記録するための記録ヘッドを備えることを特徴とする請求項１記載の記録制御装置。
【請求項８】  前記画像データは、前記記録部が記録可能なデータ形式に処理されて画像データが生成されることを特徴とする請求項１記載の記録制御装置。
【請求項９】  前記第１の管理手段による各登録データブロックを記録順につなげて登録状態の管理処理と、登録データブロックに対する前記記録部による連続記録処理状態の管理処理とは並行処理されることを特徴とする請求項１記載の記録制御装置。
【請求項１０】  外部装置から受信される記録データをページ単位に処理し、該処理された画像データに基づいて記録部と、複数サイズの記録媒体を前記記録部に給紙可能な給紙手段と、順次受信される各記録データを解析して生成される画像データを記憶する画像データ記憶手段とを有する記録制御装置における記録制御方法であって、
各画像データを前記画像データ記憶手段に登録する際に、各画像データに対して前記給紙手段より給紙すべき記録媒体の記録状態を管理するための登録データ管理ブロックを順次作成するブロック作成工程と、
前記ブロック作成工程により作成される記録待ちの各登録データ管理ブロックを記録順につなげて登録状態を管理する第１の管理工程と、
前記第１の管理工程により管理される各登録データブロックに対する前記記録部による連続記録処理状態を管理する第２の管理工程と、
前記第２の管理工程による連続記録処理状態管理中に、前記給紙手段から給紙されて搬送される各記録媒体の給送状態を監視してジャム状態を検出する検出工程と、
前記検出工程によりジャム状態が検出された場合に、前記第１，第２の管理手段により管理されている未記録状態の各登録データ管理ブロックの登録状態，各登録データブロックに対する前記記録部による連続記録処理状態を更新してジャム状態を回復させる回復工程と、を有することを特徴とする記録制御方法。
【請求項１１】  前記登録データ管理ブロックには、各画像データを記憶する画像データ記憶手段内のアクセス情報，給紙すべき記録媒体のサイズ情報を含むことを特徴とする請求項１０記載の記録制御方法。
【請求項１２】  前記画像データ記憶手段は、サイズの異なる画像データまたは同一サイズの画像データを順次記憶可能とすることを特徴とする請求項１０記載の記録制御方法。
【請求項１３】  前記ブロック作成手段は、各画像データのサイズに基づいて異なるサイズまたは同一サイズの記録媒体を前記給紙手段より連続給紙するための給紙指定情報を順次作成可能とすることを特徴とする請求項１０記載の記録制御方法。
【請求項１４】  前記ブロック作成手段は、各画像データの記録サイズ指定に基づいて異なるサイズまたは同一サイズの記録媒体を前記給紙手段より連続給紙するための給紙指定情報を順次作成可能とすることを特徴とする請求項１０記載の記録制御方法。
【請求項１５】  前記記録部は、前記画像データに応じて記録媒体に対してカラー画像を記録するための色別の記録ヘッドを複数備えることを特徴とする請求項１０記載の記録制御方法。
【請求項１６】  前記記録部は、前記画像データに応じて記録媒体に対してモノクロ画像を記録するための記録ヘッドを備えることを特徴とする請求項１０記載の記録制御方法。
【請求項１７】  前記画像データは、前記記録部が記録可能なデータ形式に処理されて画像データが生成されることを特徴とする請求項１０記載の記録制御方法。
【請求項１８】  前記第１の管理手段による各登録データブロックを記録順につなげて登録状態の管理処理と、登録データブロックに対する前記記録部による連続記録処理状態の管理処理とは並行処理されることを特徴とする請求項１０記載の記録制御方法。
【手続補正３】
【補正対象書類名】明細書
【補正対象項目名】０００１
【補正方法】変更
【補正の内容】
【０００１】
【発明の属する技術分野】
本発明は、外部装置から受信される記録データをページ単位に処理し、該処理された画像データに基づいて記録部の駆動を制御する記録制御装置および記録制御方法に関するものである。
【手続補正４】
【補正対象書類名】明細書
【補正対象項目名】０００６
【補正方法】変更
【補正の内容】
【０００６】
本発明は、上記の問題点を解決するためになされたもので、本発明は、ホストコンピュータ等からの記録データを個別ブロックデータとして登録管理しつつ、並行して該登録された登録管理ブロックに対する印刷状態を印刷管理ブロックで個別に管理することにより、ページサイズが異なる画像データあるいは指定される用紙サイズが異なる画像データを連続して受信しても、それぞれに見合うサイズの異なる記録媒体を給紙して連続的に記録処理を効率よく行えるとともに、給紙ジャム等が発生しても、記録データの再送要求を行うことなく、ジャム処理したページに対応する管理ブロックを参照して記録処理を支障なく再開できる記録制御装置および記録制御方法を提供することである。
【手続補正５】
【補正対象書類名】明細書
【補正対象項目名】０００７
【補正方法】変更
【補正の内容】
【０００７】
【問題点を解決するための手段】
本発明に係る第１の発明は、複数サイズの記録媒体を記録部に給紙可能な給紙手段の駆動と、外部装置（図３に示すホストコンピュータ１０２）から受信される記録データをページ単位に処理し、該処理された画像データに基づいて前記記録部（図３に示す記録ヘッド３１６）の駆動とを制御する記録制御装置であって、順次受信される各記録データを解析して生成される画像データを記憶する画像データ記憶手段（図３に示すＶＲＡＭ３１８）と、各画像データを前記画像データ記憶手段に登録する際に、各画像データに対して前記給紙手段より給紙すべき記録媒体の記録状態を管理するための登録データ管理ブロックを順次作成するブロック作成手段（図３に示すＭＰＵ３１７がプログラムＲＯＭ３１１に記憶される制御プログラムを実行して、ＲＡＭ３１２上に図９に示す登録データ管理ブロック１２００として作成する）と、前記ブロック作成手段により作成される記録待ちの各登録データ管理ブロックを記録順につなげて登録状態を管理する第１の管理手段（図３に示すＭＰＵ３１７がプログラムＲＯＭ３１１に記憶される制御プログラムを実行して、ＲＡＭ３１２上に作成された各ページの各登録データ管理ブロックを待ち行列につないで管理する）と、前記第１の管理手段により管理される各登録データ管理ブロックに対する前記記録部による連続記録処理状態を管理する第２の管理手段（図３に示すＭＰＵ３１７がプログラムＲＯＭ３１１に記憶される制御プログラムを実行して、ＲＡＭ３１２上に作成された各ページの各登録データ管理ブロックに対する記録処理状態をＲＡＭ３１２上の図１３に示す印刷／ジャム管理ブロック１３００として個別に管理する）と、前記第２の管理手段による連続記録処理状態管理中に、前記給紙手段から給紙されて搬送される各記録媒体の給送状態を監視してジャム状態を検出する検出手段（図２に示すセンサ２１２，２１３）と、前記検出手段によりジャム状態が検出された場合に、前記第１，第２の管理手段により管理されている未記録状態の各登録データブロックの登録状態，各登録データブロックに対する前記記録部による連続記録処理状態を更新してジャム状態を回復させる制御手段（図３に示すＭＰＵ３１７がプログラムＲＯＭ３１１に記憶される制御プログラムを実行して、ＲＡＭ３１２上に作成された各ページの各登録データ管理ブロック１２００に対する記録処理状態をＲＡＭ３１２上の図１３１３に示す印刷／ジャム管理ブロック１３００との処理状態から回復処理を行う）を有するものである。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
本発明に係る第６の発明は、前記記録部は、前記画像データに応じて記録媒体に対してカラー画像を記録するための色別の記録ヘッドを複数備えるものである。
【手続補正８】
【補正対象書類名】明細書
【補正対象項目名】００１４
【補正方法】変更
【補正の内容】
【００１４】
本発明に係る第７の発明は、前記記録部は、前記画像データに応じて記録媒体に対してモノクロ画像を記録するための記録ヘッドを備えるものである。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
本発明に係る第８の発明は、前記画像データは、前記記録部が記録可能なデータ形式に処理されて画像データが生成されるものである。
【手続補正１１】
【補正対象書類名】明細書
【補正対象項目名】００１７
【補正方法】変更
【補正の内容】
【００１７】
本発明に係る第９の発明は、前記第１の管理手段による各登録データブロックを記録順につなげて登録状態の管理処理と、登録データブロックに対する前記記録部による連続記録処理状態の管理処理とは並行処理されるものである。
【手続補正１２】
【補正対象書類名】明細書
【補正対象項目名】００１８
【補正方法】変更
【補正の内容】
【００１８】
本発明に係る第１０の発明は、外部装置（図３に示すホストコンピュータ１０２）から受信される記録データをページ単位に処理し、該処理された画像データに基づいて記録部（図３に示す記録ヘッド３１６）と、複数サイズの記録媒体を前記記録部に給紙可能な給紙手段（図１に示す記録媒体カセット１０４）と、順次受信される各記録データを解析して生成される画像データを記憶する画像データ記憶手段（図３に示すＶＲＡＭ３１８）とを有する記録制御装置における記録制御方法であって、あるいは外部装置から受信される画像データをページ単位に処理し、該処理された画像データに基づいて記録部と、複数サイズの記録媒体を前記記録部に給紙可能な給紙手段と、順次受信される各画像データを解析して生成される画像データを記憶する画像データ記憶手段とを有する記録制御装置を制御するコンピュータが読み出し可能なプログラムを格納した記憶媒体であって、各画像データを前記画像データ記憶手段に登録する際に、各画像データに対して前記給紙手段より給紙すべき記録媒体の記録状態を管理するための登録データ管理ブロックを順次作成するブロック作成工程（図１０に示すステップ（７０３））と、前記ブロック作成工程により作成される記録待ちの各登録データブロックを記録順につなげて登録状態を管理する第１の管理工程（図１０に示すステップ（７０３））と、前記第１の管理工程により管理される各登録データ管理ブロックに対する前記記録部による連続記録処理状態を管理する第２の管理工程（図１５に示すステップ（１００１−１）〜（１００１−４））と、前記第２の管理工程による連続記録処理状態管理中に、前記給紙手段から給紙されて搬送される各記録媒体の給送状態を監視してジャム状態を検出する検出工程（図２１に示すステップ（１００９−１），図２２に示すステップ（１０１０−１））と、前記検出工程によりジャム状態が検出された場合に、前記第１，第２の管理手段により管理されている未記録状態の各登録データ管理ブロックの登録状態，各登録データブロックに対する前記記録部による連続記録処理状態を更新してジャム状態を回復させる回復工程（図２１に示すステップ（１００９−２），図２２に示すステップ（１０１０−２）〜（１０１０−４））とを有するものである。
【手続補正１３】
【補正対象書類名】明細書
【補正対象項目名】００１９
【補正方法】変更
【補正の内容】
【００１９】
本発明に係る第１１の発明は、前記登録データ管理ブロックには、各画像データを記憶する画像データ記憶手段内のアクセス情報，給紙すべき記録媒体のサイズ情報を含むものである。
【手続補正１４】
【補正対象書類名】明細書
【補正対象項目名】００２０
【補正方法】変更
【補正の内容】
【００２０】
本発明に係る第１２の発明は、前記画像データ記憶手段は、サイズの異なる画像データまたは同一サイズの画像データを順次記憶可能とするものである。
【手続補正１５】
【補正対象書類名】明細書
【補正対象項目名】００２１
【補正方法】変更
【補正の内容】
【００２１】
本発明に係る第１３の発明は、前記ブロック作成工程は、各画像データのサイズに基づいて異なるサイズまたは同一サイズの記録媒体を前記給紙手段より連続給紙するための給紙指定情報を順次作成可能とするものである。
【手続補正１６】
【補正対象書類名】明細書
【補正対象項目名】００２２
【補正方法】変更
【補正の内容】
【００２２】
本発明に係る第１４の発明は、前記ブロック作成工程は、各画像データの記録サイズ指定に基づいて異なるサイズまたは同一サイズの記録媒体を前記給紙手段より連続給紙するための給紙指定情報を順次作成可能とするものである。
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】変更
【補正の内容】
【００２４】
本発明に係る第１５の発明は、前記記録部は、前記画像データに応じて記録媒体に対してカラー画像を記録するための色別の記録ヘッドを複数備えるものである。
【手続補正１９】
【補正対象書類名】明細書
【補正対象項目名】００２５
【補正方法】変更
【補正の内容】
【００２５】
本発明に係る第１６の発明は、前記記録部は、前記画像データに応じて記録媒体に対してモノクロ画像を記録するための記録ヘッドを備えるものである。
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】変更
【補正の内容】
【００２７】
本発明に係る第１７の発明は、前記画像データは、前記記録部が記録可能なデータ形式に処理されて画像データが生成されるものである。
【手続補正２２】
【補正対象書類名】明細書
【補正対象項目名】００２８
【補正方法】変更
【補正の内容】
【００２８】
本発明に係る第１８の発明は、前記第１の管理工程による各登録データブロックを記録順につなげて登録状態の管理処理と、登録データブロックに対する前記記録部による連続記録処理状態の管理処理とは並行処理されるものである。
【手続補正２３】
【補正対象書類名】明細書
【補正対象項目名】０１３７
【補正方法】変更
【補正の内容】
【０１３７】
【発明の効果】
以上説明したように、本発明によれば、記録データを個別ブロックデータとして登録管理しつつ、並行して該登録された登録データ管理ブロックに対する印刷状態を印刷管理ブロックで個別に管理して各ページの記録データ処理を制御するので、ページサイズが異なる記録データあるいは指定される用紙サイズが異なる記録データを連続して受信しても、それぞれに見合うサイズの異なる記録媒体を給紙して連続的に記録処理を効率よく行えるとともに、給紙ジャム等が発生しても、記録データの再送要求を行うことなく、ジャム処理したページに対応する登録データ管理ブロックを参照して記録処理を支障なく再開できる効果を奏する。